(57)【要約】【課題】使用者が締め付け又は緩め操作を直観的に行うことができ、素早くヘッドバンドの締め付け調整を完了することができるヘッドバンド調節具を備えたヘルメット提供すること。【解決手段】ヘルメット１０に装着されるヘッドバンド調節具２０は、複数の歯７１を設けたレール部７０及び板状の板部３１を有し帽体１１の内面に固定される本体部３０と、板部３１と帽体１１の内面との間に配置されレール部７０に装着されるスライド部４０と、板部３１と帽体１１の内面との間に配置された操作部６０と、本体部３０より内側に配置されヘッドバンドの一端が係止される係止部５０とを備え、本体部３０は帽体１１の内面の形状に沿って湾曲しており、係止部５０は本体部３０に水平動可能に装着され、スライド部４０は係止部５０及び操作部６０に接続されるとともにレール部７０に当接する当接部４１と当接部４１をレール部７０方向に付勢する付勢部を有する。【選択図】      図１
2017057524.tif 000002
【特許請求の範囲】
【請求項１】
帽体と、前記帽体の内面に装着されて使用者の頭部を包囲するヘッドバンドと、前記ヘッドバンドを調節するヘッドバンド調節具を有するヘルメットであって、
前記ヘッドバンド調節具は、
複数の歯を設けたレール部及び板状の板部を有し、前記帽体の内面に固定される本体部と、
前記本体部の前記板部と前記帽体の内面との間に配置され、前記レール部に装着されるスライド部と、
前記本体部の前記板部と前記帽体の内面との間に配置され、前記使用者が前記スライド部を水平方向に動かす操作に用いる操作部と、
前記本体部より内側に配置され、前記ヘッドバンドの一端が係止される係止部と、
を備え、
前記本体部は、前記帽体の内面の形状に沿って湾曲しており、
前記係止部は、前記本体部に水平動可能に装着され、
前記スライド部は、前記係止部及び前記操作部に接続されるとともに、前記レール部に当接する当接部と、前記当接部を前記レール部方向に付勢する付勢部とを有することを特徴とするヘルメット。
【請求項２】
前記ヘッドバンド調節具が、前記帽体の一方の側部の内面と、前記帽体の他方の側部の内面に配置されていることを特徴とする請求項１に記載のヘルメット。
【請求項３】
前記本体部には、水平方向に細長い開口が形成され、
前記開口に前記レール部が設けられていることを特徴とする請求項１又は請求項２に記載のヘルメット。
【請求項４】
前記本体部と前記レール部とが別部材で構成され、
前記本体部は、前記レール部を保持するレール保持部を備え、
前記レール部は、前記レール保持部に配置されていることを特徴とする請求項１又は請求項２に記載のヘルメット。
【請求項５】
前記本体部には、水平方向に細長い開口が形成され、
前記ヘッドバンド係止部と、前記スライド部とは、前記開口を貫通するスライド接続部を介して接続されていることを特徴とする請求項４に記載のヘルメット。
【請求項６】
前記操作部は、操作アーム部を備え、
前記操作アーム部は、一方の端部が前記スライド部の下端に配置され、他方の端部が斜め下方に突出して配置され、
前記操作アーム部の前記他方の端部には、前記使用者が水平方向に押圧する押圧部を備え、
前記操作アーム部の前記一方の端部には、前記使用者が前記押圧部を水平方向に押圧したときに前記スライド部の下面と接触して前記スライド部を上方向に押し上げる押上部を備えることを特徴とする請求項１から請求項５のいずれか１項に記載のヘルメット。
【請求項７】
前記操作アーム部は、第１操作アーム部と、第２操作アーム部とからなり、
第１操作アーム部は、一方の端部が前記スライド部の下端に配置され、斜め下方に突出した他方の端部が前記帽体の前方側に配置され、
第２操作アーム部は、一方の端部が前記スライド部の下端に配置され、斜め下方に突出した他方の端部が前記帽体の後方側に配置されることを特徴とする請求項６に記載のヘルメット。
【請求項８】
前記スライド部をプラスチックばねで構成したことを特徴とする請求項１から請求項７のいずれか1項に記載のヘルメット。
【発明の詳細な説明】
【技術分野】
【０００１】
本発明は、帽体の内面に装着されたヘッドバンドを調節するヘッドバンド調節具を備えたヘルメットに関する。
【背景技術】
【０００２】
登山用や自転車用などのヘルメットにおいては、使用者の頭部を包囲して軽く締め付けるヘッドバンドと、そのヘッドバンドの締め付け力を調節するヘッドバンド調節具が装着されることがある。
例えば、特許文献１には、ピニオンが形成されたヘッドバンド調整体を後頭部に配置したヘッドバンドのサイズ調整装置が記載されている。
また、特許文献２には、２つの弧状バンド部材が環状となるように構成し、両弧状バンド部材の接近及び離間移動の操作を操作手段によって行うヘルメットが記載されている。
また、特許文献３には、帯紐の両端に配置された第１及び第２クラウン歯車に噛合するインバータピニオンを有する調整機構を備えた安全ヘルメットが記載されている。
【先行技術文献】
【特許文献】
【０００３】
【特許文献１】特開２０１０−２０３０１５号公報
【特許文献２】特開２００１−２６２４２３号公報
【特許文献３】特開平６−２２０８号公報
【発明の概要】
【発明が解決しようとする課題】
【０００４】
特許文献１に記載のサイズ調整装置は後頭部側で操作するものであり、また、回転式のものであるため、素早くヘッドバンドの調整を行うことが困難である。
特許文献２のヘルメットは、ヘッドバンドの調整を側頭部で行うことができるものであるが、構成がやや複雑のため小型化が難しい。
特許文献３のヘルメットもヘッドバンドの調整を側頭部で行うことができるものであるが、回転式のものであるため、素早くヘッドバンドの調整を行うことが困難である。
【０００５】
そこで本発明は、使用者が締め付け又は緩め操作を直観的に行うことができ、素早くヘッドバンドの締め付け調整を完了することができるヘッドバンド調節具を備えたヘルメットを提供することを目的とする。
【課題を解決するための手段】
【０００６】
請求項１記載の本発明のヘルメットは、帽体と、前記帽体の内面に装着されて使用者の頭部を包囲するヘッドバンドと、前記ヘッドバンドを調節するヘッドバンド調節具を有するヘルメットであって、前記ヘッドバンド調節具は、複数の歯を設けたレール部及び板状の板部を有し、前記帽体の内面に固定される本体部と、前記本体部の前記板部と前記帽体の内面との間に配置され、前記レール部に装着されるスライド部と、前記本体部の前記板部と前記帽体の内面との間に配置され、前記使用者が前記スライド部を水平方向に動かす操作に用いる操作部と、前記本体部より内側に配置され、前記ヘッドバンドの一端が係止される係止部と、を備え、前記本体部は、前記帽体の内面の形状に沿って湾曲しており、前記係止部は、前記本体部に水平動可能に装着され、前記スライド部は、前記係止部及び前記操作部に接続されるとともに、前記レール部に当接する当接部と、前記当接部を前記レール部方向に付勢する付勢部とを有することを特徴とする。
請求項２に記載の本発明は、請求項１に記載のヘルメットにおいて、前記ヘッドバンド調節具が、前記帽体の一方の側部の内面と、前記帽体の他方の側部の内面に配置されていることを特徴とする。
請求項３記載の本発明は、請求項１又は請求項２に記載のヘルメットにおいて、前記本体部には、水平方向に細長い開口が形成され、前記開口に前記レール部が設けられていることを特徴とする。
請求項４記載の本発明は、請求項１又は請求項２に記載のヘルメットにおいて、前記本体部と前記レール部とが別部材で構成され、前記本体部は、前記レール部を保持するレール保持部を備え、前記レール部は、前記レール保持部に配置されていることを特徴とする。
請求項５記載の本発明は、請求項４に記載のヘルメットにおいて、前記本体部には、水平方向に細長い開口が形成され、前記ヘッドバンド係止部と、前記スライド部とは、前記開口を貫通するスライド接続部を介して接続されていることを特徴とする。
請求項６記載の本発明は、請求項１から請求項５のいずれか１項に記載のヘルメットにおいて、前記操作部は、操作アーム部を備え、前記操作アーム部は、一方の端部が前記スライド部の下端に配置され、他方の端部が斜め下方に突出して配置され、前記操作アーム部の前記他方の端部には、前記使用者が水平方向に押圧する押圧部を備え、前記操作アーム部の前記一方の端部には、前記使用者が前記押圧部を水平方向に押圧したときに前記スライド部の下面と接触して前記スライド部を上方向に押し上げる押上部を備えることを特徴とする。
請求項７記載の本発明は、請求項６に記載のヘルメットにおいて、前記操作アーム部は、第１操作アーム部と、第２操作アーム部とからなり、第１操作アーム部は、一方の端部が前記スライド部の下端に配置され、斜め下方に突出した他方の端部が前記帽体の前方側に配置され、第２操作アーム部は、一方の端部が前記スライド部の下端に配置され、斜め下方に突出した他方の端部が前記帽体の後方側に配置されることを特徴とする。
請求項８記載の本発明は、請求項１から請求項７のいずれか1項に記載のヘルメットにおいて、前記スライド部をプラスチックばねで構成したことを特徴とする。
【発明の効果】
【０００７】
本発明によれば、使用者が締め付け又は緩め操作を直観的に行うことができ、素早くヘッドバンドの締め付け調整を完了できるヘッドバンド調節具を備えたヘルメットを提供することができる。
【図面の簡単な説明】
【０００８】
【図１】本発明の一実施例によるヘルメットの内面側の斜視図
【図２】同ヘルメットに装着されるヘッドバンド調節具の一部透過概略構成図
【図３】同ヘッドバンド調節具の分解図
【図４】同ヘッドバンド調節具の分解図
【図５】同ヘッドバンド調節具の組立図
【図６】本発明の他の実施例によるヘッドバンド調節具を示す一部透過概略構成図
【図７】本発明の更に他の実施例によるヘッドバンド調節具を示す概略構成図
【発明を実施するための形態】
【０００９】
本発明の第１の実施の形態によるヘルメットは、ヘッドバンド調節具は、複数の歯を設けたレール部及び板状の板部を有して帽体の内面に固定される本体部と、本体部の板部と帽体の内面との間に配置されてレール部に装着されるスライド部と、本体部の板部と帽体の内面との間に配置されて使用者がスライド部を水平方向に動かす操作に用いる操作部と、本体部より内側に配置されてヘッドバンドの一端が係止される係止部とを備え、本体部は、帽体の内面の形状に沿って湾曲しており、係止部は、本体部に水平動可能に装着され、スライド部は、係止部及び操作部に接続されるとともに、レール部に当接する当接部と、当接部をレール部方向に付勢する付勢部とを有するものである。本実施の形態によれば、使用者はヘッドバンド調節具の操作部によってスライド部を水平方向に動かすことで直観的に素早くヘッドバンドを調節することができる。また、ヘッドバンド調節具の本体部は帽体の配置される部分の内面形状に沿って湾曲しているため、本体部と帽体との接触面積が大きくなり、ヘッドバンド調節具を帽体に取り付けたときの安定性が向上する。
本発明の第２の実施の形態は、第１の実施の形態によるヘルメットにおいて、ヘッドバンド調節具が、帽体の一方の側部の内面と、帽体の他方の側部の内面に配置されているものである。本実施の形態によれば、左右側部に配置された二つのヘッドバンド調節具を両手で同時に操作することができるので、より素早くヘッドバンドを調節することができる。
本発明の第３の実施の形態は、第１又は第２の実施の形態によるヘルメットにおいて、本体部には、水平方向に細長い開口が形成され、開口にレール部が設けられているものである。本実施の形態によれば、レール部を本体部に直接設けることによって、本体部とレール部とを別部材で構成した場合と比べて、部品点数を減らして軽量化を図ることができる。
本発明の第４の実施の形態は、第１又は第２の実施の形態によるヘルメットにおいて、本体部とレール部とが別部材で構成され、本体部は、レール部を保持するレール保持部を備え、レール部は、レール保持部に配置されているものである。本実施の形態によれば、本体部とレール部とを別部材で構成することによって、本体部にレール部を直接設ける場合と比べて、本体部の厚みを薄くすることができるとともに、レール部に必要な剛性を低く抑えることができる。
本発明の第５の実施の形態は、第４の実施の形態によるヘルメットにおいて、本体部には、水平方向に細長い開口が形成され、ヘッドバンド係止部と、スライド部とは、開口を貫通するスライド接続部を介して接続されているものである。本実施の形態によれば、スライド部と係止部とは開口を介して接続することができるので、両者の接続が最短距離で済み、ヘッドバンド調節具を小型化することができる。
本発明の第６の実施の形態は、第１から第５のいずれか１つの実施の形態によるヘルメットにおいて、操作部は、操作アーム部を備え、操作アーム部は、一方の端部がスライド部の下端に配置され、他方の端部が斜め下方に突出して配置され、操作アーム部の他方の端部には、使用者が水平方向に押圧する押圧部を備え、操作アーム部の一方の端部には、使用者が押圧部を水平方向に押圧したときにスライド部の下面と接触してスライド部を上方向に押し上げる押上部を備えるものである。本実施の形態によれば、使用者が操作部に加えた水平方向の押圧力は、スライド部を上方向に持ち上げる力となり、スライド部とレール部との当接を解除することができる。
本発明の第７の実施の形態は、第６の実施の形態によるヘルメットにおいて、操作アーム部は、第１操作アーム部と、第２操作アーム部とからなり、第１操作アーム部は、一方の端部がスライド部の下端に配置され、斜め下方に突出した他方の端部が帽体の前方側に配置され、第２操作アーム部は、一方の端部がスライド部の下端に配置され、斜め下方に突出した他方の端部が帽体の後方側に配置されるものである。本実施の形態によれば、使用者が操作部に加えた水平方向の押圧力は、スライド部を上方向に持ち上げる力となり、スライド部とレール部との当接を解除することができる。したがって使用者は、後頭部用ヘッドバンドを緩めようとするときは操作部を後方向に押し、締めようとするときは操作部を前方向に押すという、より直観的な操作を行うことができる。また、操作部を前方向又は後方向に押して、任意の位置で手を離すだけで操作が完了するので、素早く後頭部用ヘッドバンドを調節することができる。
本発明の第８の実施の形態は、第１から第７のいずれか１つの実施の形態によるヘルメットにおいて、スライド部をプラスチックばねで構成したものである。本実施の形態によれば、スライド部は自らの付勢力によって当接部の下端をレール部に押し付けることができるので、スライド部に別部材で構成した付勢部を設ける必要が無く、部品点数を減らして軽量化を図ることができる。
【実施例】
【００１０】
以下、本発明の一実施例によるヘルメットについて説明する。
【００１１】
図１は本実施例によるヘルメットの内面側の斜視図、図２は同ヘルメットに装着されるヘッドバンド調節具の一部透過概略構成図、図３は同ヘッドバンド調節具の分解図、図４は図３と反対の視点からみた同ヘッドバンド調節具の分解図、図５は同ヘッドバンド調節具の組立図である。
図１に示すように、ヘルメット１０は、硬質の帽体１１の内面に、使用者の頭部を前頭部から側頭部にかけて包囲する固定長の前頭部用ヘッドバンド１２、使用者の頭部を後頭部から側頭部にかけて包囲する固定長の後頭部用ヘッドバンド１３、及び掛止具１４を有している。
前頭部用ヘッドバンド１２及び後頭部用ヘッドバンド１３の、それぞれの一方の端部と他方の端部には、ヘッドバンド調節具２０との接続用の円形の開口が形成されている。
掛止具１４は、第１掛止片１４ａと第２掛止片１４ｂとからなり、帽体１１の内面の左右側部に一対ずつ対称に固定される。第１掛止片１４ａと第２掛止片１４ｂとは所定の間隔をあけて固定されており、ヘッドバンド調節具２０は、第１掛止片１４ａと第２掛止片１４ｂとの間に差し込まれる。差し込まれたヘッドバンド調節具２０の両端は、第１掛止片１４ａ及び第２掛止片１４ｂによって保持される。
【００１２】
ヘッドバンド調節具２０は、帽体１１の一方の側部の内面に配置する第１調節具２０Ａと、帽体１１の他方の側部の内面に配置する第２調節具２０Ｂとからなる。帽体１１の内面にヘッドバンド調節具２０を配置することによって、ヘルメット１０の外面の凹凸を少なくすることができる。
図２から図５に示すように、第１調節具２０Ａ及び第２調節具２０Ｂは、本体部３０、本体部３０に水平動可能に係合するスライド部４０、後頭部用ヘッドバンド１３の端部が係止される係止部５０、使用者がスライド部４０を水平方向に動かす操作に用いる操作部６０、上面に複数の歯７１を有するレール部７０、及びカバー部８０をそれぞれ備える。
【００１３】
本体部３０は、矩形の板状の板部３１と、板部３１の一方の側部３１ａの上端から延出した前頭部用ヘッドバンド係止部３２を備え、長手方向が帽体１１の前後方向となるように掛止具１４によって帽体１１の側部の内面に固定される。
前頭部用ヘッドバンド係止部３２には円環状の突起３２ａが設けられている。第１調節具２０Ａの突起３２ａに前頭部用ヘッドバンド１２の一方の端部に形成された開口が嵌合され、第２調節具２０Ｂの突起３２ａに前頭部用ヘッドバンド１２の他方の端部に形成された開口が嵌合されることによって、前頭部用ヘッドバンド１２の両端がヘッドバンド調節具２０に固定される。
また、本体部３０は、帽体１１の側部の内面形状に沿って湾曲している。本体部３０を帽体１１の側部の内面形状に沿って湾曲させることで、本体部３０と帽体１１との接触面積を大きくすることができ、ヘッドバンド調節具２０を帽体１１に取り付けたときの安定性が向上する。
板部３１は、収納部３３と、固定用スリット部（開口）３４を備える。
収納部３３は、板部３１の両側部（一方の側部３１ａ及び他方の側部３１ｂ）が外方向に折り曲げられ、折り曲げられた両側部３１ａ、３１ｂの下部を棒状の下部接続部３５で接続することによって形成される。すなわち収納部３３は、板部３１と帽体１１の側部の内面との間に位置する。また、収納部３３の下部には、レール部７０の両端を保持するレール保持部３３ａ、３３ｂを備える。レール保持部３３ａ、３３ｂは、例えば、板部３１の折り曲げられた両側部３１ａ、３１ｂの下端を延出し、延出した部分がそれぞれ対向する側部の方向に折り曲げられることによって形成される。
固定用スリット部３４は、板部３１の長手方向にわたる矩形状の開口である。後述のように、スライド部４０と係止部５０とは固定用スリット部３４を貫通するスライド接続部５３を介して接続することができるので、両者の接続が最短距離で済み、ヘッドバンド調節具２０を小型化することができる。
【００１４】
レール部７０は、板部３１の長手方向の長さとほぼ同じ長さを有する直方体であり、上面には複数の歯７１が設けられ、下面には凹部７２が設けられている。凹部７２の位置は、上面に設けた歯７１と歯７１の間の部分に対応する。歯７１は、前後方向のどちらかに傾くことなく直立している。
レール部７０は、複数の歯７１による歯面が形成された上面を上方向に向けた状態で、レール保持部３３ａ、３３ｂによって保持される。
このように本体部３０とレール部７０とを別部材で構成することによって、本体部３０にレールを形成する場合と比べて、本体部３０の厚みを薄くすることができるとともに、レール部７０に必要な剛性を低く抑えることができる。
【００１５】
係止部５０は、本体部３０より内側すなわち板部３１の内面側（収納部３３が形成されていない側）に配置される。係止部５０は、上端に鍵爪部５１を有する。鍵爪部５１は、第１鍵爪片５１ａと、第２鍵爪片５１ｂとからなり、第１鍵爪片５１ａと第２鍵爪片５１ｂとは所定の間隔をあけて配置される。鍵爪片５１ａ、５１ｂを板部３１の上端に引っ掛けることによって係止部５０が本体部３０に装着される。なお、鍵爪片５１ａ、５１ｂと板部３１の上端との間にわずかな隙間を設けることで、係止部５０が板部３１の内面に沿って水平動すること、すなわち前後方向への移動を可能としている。
係止部５０は、内面（板部３１への取付け側とは反対の面）に、後頭部用ヘッドバンド１３の端部が係止される後頭部用ヘッドバンド係止部５２を備え、その外面（板部３１への取付け側の面）に、スライド部４０と接続するスライド接続部５３を備える。
後頭部用ヘッドバンド係止部５２は、円環状の突起を成し円周外面に歯面を有する。第１調節具２０Ａの後頭部用ヘッドバンド係止部５２に後頭部用ヘッドバンド１３の一方の端部に形成された開口が嵌合され、第２調節具２０Ｂの後頭部用ヘッドバンド係止部５２に後頭部用ヘッドバンド１３の他方の端部に形成された開口が嵌合されることによって、
後頭部用ヘッドバンド１３の両端がヘッドバンド調節具２０に固定される。
スライド接続部５３は、第１突設片５３ａと、第２突設片５３ｂとからなり、第１突設片５３ａと第２突設片５３ｂとは所定の間隔をあけて配置される。第１突設部５３ａ及び第２突設部５３ｂは、固定用スリット部３４を貫通し、それぞれの先端部が板部３１の外面側に配置される。
【００１６】
スライド部４０は、プラスチックばね等の弾性材で構成され、立柱部（当接部）４１と、立柱部４１の両側に設けた二つの拡縮部４２と、立柱部４１の下部に設けた土台部４３とからなる。
拡縮部４２は、棒状の弾性材が側方に突出した後に約１８０度湾曲してＵ字状に形成され、下部は鉛直方向に突出している。
土台部４３は、逆Ｔ字状であり、上端と下端との間には窪み４３ａを設けている。
スライド部４０は、本体部３０の板部３１と帽体１１の側部の内面との間に位置する収納部３３に、立柱部４１と土台部４３でレール部７０を上下に挟みこむように配置される。このとき窪み４３ａにはレール部７０が嵌合し、立柱部４１の下端はレール部７０の歯面に当接する。また、鉛直方向に突出した拡縮部４２の下部は、第１突設片５３ａ及び第２突設片５３ｂと係合することによって固定される。したがって、スライド部４０は係止部５０と接続される。スライド部４０はプラスチックばね等の弾性材で構成されているので、自らの付勢力によって立柱部４１の下端はレール部７０に押し付けられる。したがって、スライド部４０に別部材で構成した付勢部を設ける必要が無いため、部品点数を減らして軽量化を図ることができる。
また、レール部７０及びスライド部４０が配置された収納部３３にはカバー８０が配置され、各部材の脱落が防止される。
【００１７】
操作部６０は、所定長を有する操作アーム部６１と、操作本体部６２とを備える。
操作アーム部６１は、第１操作アーム部６１Ａと第２操作アーム部６１Ｂとからなる。第１操作アーム部６１Ａは、一方の端部６１Ａａがスライド部４０の土台部４３の下端に配置され、他方の端部６１Ａｂが斜め前下方に突出して配置される。第２操作アーム部６１Ｂは、一方の端部６１Ｂａがスライド部４０の土台部４３の下端に配置され、他方の端部６１Ｂｂが斜め後下方に突出して配置される。
第１操作アーム部６１Ａの他方の端部６１Ａｂ及び第２操作アーム部６１Ｂの他方の端部６１Ｂｂには、使用者が押圧する押圧部６３を備える。また、第１操作アーム部６１Ａの一方の端部６１Ａａ及び第２操作アーム部６１Ｂの一方の端部６１Ｂａには、使用者が押圧部６３を水平方向（前後方向）に押圧したときに土台部４３の下端と接触する押上部６４を備える。
押上部６４の上面は傾斜しており、端部側６４ａが反端部側６４ｂよりも低くなっている。
操作本体部６２には、第１操作アーム部６１Ａ及び第２操作アーム部６１Ｂが装着される。操作本体部６２には、装着された第１操作アーム部６１Ａ及び第２操作アーム部６１Ｂがそれぞれ所定間を往復動するための山型の経路６２ａが設けられている。
操作部６０は、本体部３０の板部３１と帽体１１の側部の内面との間に位置する収納部３３に、スライド部４０の下側に位置するように配置され、係止部５０の下部に操作本体部６２が接続される。
【００１８】
上記のように構成されたヘッドバンド調節具２０が装着されたヘルメット１０の使用者が、後頭部用ヘッドバンド１３を締めようとするときには、ヘルメット１０を頭部に載置した状態で第２操作アーム部６１Ｂの押圧部６３を前方向に押す。すると、第２操作アーム部６１Ｂが前方向に移動し、傾斜上面を有する押上部６４によって土台部４３が上方向に押し上げられる。スライド部４０の拡縮部４２の下端はスライド接続部５３に固定されているため、土台部４３が上方向に押し上げられると拡縮部４２が拡がる。拡縮部４２の上方向に拡がる力が立柱部４１を下方向（レール部７０方向）に押し付けている力を上回ると立柱部４１が上方向に持ち上げられる。立柱部４１の下端が歯７１の先端近傍まで持ち上げられると、歯７１によるスライド部４０の水平動（前後方向への動き）の規制が解除され、スライド部４０は前方向に移動する。スライド部４０には後頭部用ヘッドバンド１３の端部が係止された係止部５０が接続されているので、スライド部４０の前方向への移動に伴って係止部５０も前方向に移動し、使用者の頭部は後頭部用ヘッドバンド１３によって締め付けられる。
使用者が後頭部用ヘッドバンド１３を緩めようとするときには、ヘルメット１０を頭部に載置した状態で第１操作アーム部６１Ａの押圧部６３を後方向に押す。すると、第１操作アーム部６１Ａが後方向に移動し、傾斜上面を有する押上部６４によって土台部４３が上方向に押し上げられる。スライド部４０の拡縮部４２の下端はスライド接続部５３に固定されているため、土台部４３が上方向に押し上げられると拡縮部４２が拡がる。拡縮部４２の上方向に拡がる力が立柱部４１を下方向（レール部７０方向）に押し付けている力を上回ると立柱部４１が上方向に持ち上げられる。立柱部４１の下端が歯７１の先端近傍まで持ち上げられると、歯７１によるスライド部４０の水平動（前後方向への動き）の規制が解除され、スライド部４０は後方向に移動する。スライド部４０の後方向への移動に伴って係止部５０も後方向に移動し、使用者の頭部を締め付けていた後頭部用ヘッドバンド１３が緩むこととなる。
後頭部用ヘッドバンド１３を緩める又は締め付ける操作を行っていた使用者が操作部６０から手を離すと、第１操作アーム部６１Ａ又は第２操作アーム部６１Ｂが移動して元の位置に戻るため、押上部６４によって上方向に押し上げられていた土台部４３も下方向に移動して元の位置に戻る。土台部４３が下方向に移動すると、拡がっていた拡縮部４２は縮まって元の形状に戻る。拡縮部４２が元の形状に戻ると、立柱部４１の下端はレール部７０の歯７１と歯７１との間の部分に再度当接する。立柱部４１の下端は立柱部４１自らの付勢力によってレール部７０に押し付けられるため、スライド部４０、及びスライド部４０に接続する係止部５０がその位置で固定され、後頭部用ヘッドバンド１３の位置が決まる。
このように、使用者が操作部６０に加えた水平方向の押圧力は、上方向への力に変換されるため、使用者は、後頭部用ヘッドバンド１３を緩めようとするときは操作部６０を後方向に押し、締めようとするときは操作部６０を前方向に押すという、直観的な操作を行うことができる。また、操作部６０を前方向又は後方向に押し、任意の位置で手を離すだけで操作が完了するので、素早く後頭部用ヘッドバンド１３の締め付け力を調節することができる。
【００１９】
なお、操作部６０は、一方の端部がスライド部４０の土台部４３の下端に配置され、他方の端部が横方向（帽体１１の側部と垂直になる方向）の斜め下方に突出して配置された、一つの操作アーム部を備えるものとしてもよい。この場合に使用者は、操作アーム部を左方向又は右方向に水平に押圧した状態で前後に動かすことによって後頭部用ヘッドバンド１３の位置を調節することができる。したがって、この場合にも使用者は直観的な操作を行うことができる。
【００２０】
なお、上記実施例においてヘッドバンド調節具２０は、帽体１１の左右側面に一対の調節具（第１調節具２０A，第２調節具２０Ｂ）を配置するものとして説明したが、ヘッドバンド調節具２０は一箇所のみに配置するものとすることもできる。その場合には、例えば、帽体１１の後部の内面にヘッドバンド調節具２０を配置し、使用者の頭部を包囲するヘッドバンドの一方の端部をヘッドバンド調節具２０のスライド部に接続し、ヘッドバンドの他方の端部を帽体１１の内面等に固定する。
【００２１】
図６は本発明の他の実施例によるヘッドバンド調節具を示す一部透過概略構成図である。なお、上述の実施例と同一機能部には同一符号を付して説明を省略する。
本実施例によるヘッドバンド調節具２０の本体部３０は、板部３１に、水平方向（長手方向）に細長い矩形状の開口１３４が形成され、開口１３４に複数の歯１７１が設けられている。すなわち、図１から図４に示すようにレール部７０を本体部３０とは別に設けるのではなく、スライド部４０と嵌合するレールと本体部３０とを一体化している。このように歯面を有するレールを本体部３０に設けることによって、本体部３０とレール部を別部材で構成した場合と比べて、部品点数を減らして軽量化を図ることができる。
なお、板部３１に開口１３４を設けず、板部３１の上面に複数の歯１７１からなる歯面を設けてもよい。
【００２２】
図７は本発明の更に他の実施例によるヘッドバンド調節具を示す概略構成図である。なお、上述の実施例と同一機能部には同一符号を付して説明を省略する。
本実施例によるヘッドバンド調節具２０のスライド部２４０の上部には、付勢部として金属製の第１ばね２４１が配置されている。第１ばね２４１の下面は、スライド部２４０の上面に接しており、第１ばね２４１の鉛直方向の付勢力によって、スライド部２４０はレール部７０に押し付けられる。なお、付勢部は、第１ばね２４１のようにスライド部２４０の上側から付勢するものではなく、レール部７０の下側に設けられ、スライド部２４０を下側から引っ張ることでレール部７０に押し付けるものであってもよい。
また、第１操作アーム部６１Ａと第２操作アーム部６１Ｂとの間には、第２ばね２４２が設けられている。第２ばね２４２の前後方向の長さは、第１操作アーム部６１Ａと第２操作アーム部６１Ｂとの間隔にほぼ等しい。したがって第２ばね２４２は、使用者が第１操作アーム部６１Ａ又は第２操作アーム部６１Ｂ押圧したときには、第１操作アーム部６１Ａと第２操作アーム部６１Ｂの間隔が狭まることにより圧縮されて縮み、使用者が手を離すと元の形状に戻る。したがって、第１操作アーム部６１Ａ又は第２操作アーム部６１Ｂが元の位置に戻るのを付勢することができる。
【産業上の利用可能性】
【００２３】
本発明によるヘッドバンド調節具を備えたヘルメットは、特に登山用や自転車用などのヘルメットに適用することができる。
【符号の説明】
【００２４】
１０  ヘルメット
１１  帽体
１２  前頭部用ヘッドバンド
１３  後頭部用ヘッドバンド
２０  ヘッドバンド調節具
２０Ａ  第１調節具
２０Ｂ  第２調節具
３０  本体部
３１  板部
３３ａ  レール保持部
３３ｂ  レール保持部
３４  開口（固定用スリット部）
４０  スライド部（兼付勢部）
４１  立柱部（当接部）
５０  係止部
５２  スライド接続部
６０  操作部
６１  操作アーム部
６１Ａ  第１操作アーム部
６１Ｂ  第２操作アーム部
６３  押圧部
６４  押上部
７０  レール部
７１  歯
１３４  開口
２４１  第１ばね（付勢部）
【図１】
2017057524.tif 000003
【図２】
2017057524.tif 000004
【図３】
2017057524.tif 000005
【図４】
2017057524.tif 000006
【図５】
2017057524.tif 000007
【図６】
2017057524.tif 000008
【図７】
2017057524.tif 000009